(57)【要約】【課題】チューブポンプのチューブからの水分蒸発を抑えるための組立性及び部品点数が増加し、複数のチューブポンプの設置スペースが増加する。【解決手段】チューブ２０４と、チューブ２０４を回転しながら押圧する押圧手段２０５と、チューブ２０４及び押圧手段２０５を一方が開放される凹部空間２０３内に収容したポンプケース２０２とを備える少なくとも２つのポンプユニット２０１Ａ、２０１Ｂが一体化され、２つのポンプユニット２０１Ａ、２０１Ｂのそれぞれのポンプケース２０２は凹部空間２０３、２０３が対向されてシール部材２３０を介して固定され、チューブ２０４及び押圧手段２０５が収容された凹部空間２０３内が略密閉空間となっている。【選択図】図６
2010143158.tif 000002
【特許請求の範囲】
【請求項１】
液体が通るチューブと、前記チューブを回転しながら押圧する押圧手段と、前記チューブ及び押圧手段を一方が開放される凹部空間内に収容したポンプケースとを備える少なくとも２つのポンプユニットが一体化され、
前記２つのポンプユニットのそれぞれのポンプケースは前記凹部空間が対向されて固定され、前記チューブ及び押圧手段が収容された前記凹部空間内が略密閉空間となっている
ことを特徴とするチューブポンプ。
【請求項２】
前記２つのポンプケースの間には前記チューブよりもガス遮断性の高い部材からなるシール部材が介装されていることを特徴とする請求項１に記載のチューブポンプ。
【請求項３】
前記２つのポンプケースの少なくとも一方には前記シール部材を押圧する突起部が設けられていることを特徴とする請求項２に記載のチューブポンプ。
【請求項４】
前記ポンプケース内には前記押圧手段を駆動する駆動手段が前記凹部空間とは別の凹部空間内に収容されていることを特徴とする請求項１ないし３のいずれかに記載のチューブポンプ。
【請求項５】
前記駆動手段を収容した凹部空間と前記前記押圧手段を収容した凹部空間との間には前記チューブよりもガス遮断性の高い部材からなるシール部材が介装されていることを特徴とする請求項４に記載のチューブポンプ。
【請求項６】
請求項１ないし５のいずれかに記載のチューブポンプを備えていることを特徴とする画像形成装置。
【発明の詳細な説明】
【技術分野】
【０００１】
本発明はチューブポンプ及び画像形成装置に関する。
【背景技術】
【０００２】
プリンタ、ファクシミリ、複写装置、プロッタ、これらの複合機等の画像形成装置として、例えばインク液滴を吐出する記録ヘッドを用いた液体吐出記録方式の画像形成装置としてインクジェット記録装置などが知られている。この液体吐出記録方式の画像形成装置は、記録ヘッドからインク滴を、搬送される用紙に対して吐出して、画像形成（記録、印字、印写、印刷も同義語で使用する。）を行なうものであり、記録ヘッドが主走査方向に移動しながら液滴を吐出して画像を形成するシリアル型画像形成装置と、記録ヘッドが移動しない状態で液滴を吐出して画像を形成するライン型ヘッドを用いるライン型画像形成装置がある。
【０００３】
なお、本願において、液体吐出記録方式の「画像形成装置」は、紙、糸、繊維、布帛、皮革、金属、プラスチック、ガラス、木材、セラミックス等の媒体にインクを着弾させて画像形成を行う装置を意味し、また、「画像形成」とは、文字や図形等の意味を持つ画像を媒体に対して付与することだけでなく、パターン等の意味を持たない画像を媒体に付与すること（単に液滴を媒体に着弾させること）をも意味する。また、「インク」とは、インクと称されるものに限らず、記録液、定着処理液、液体などと称されるものなど、画像形成を行うことができるすべての液体の総称として用いる。また、「用紙」とは、材質を紙に限定するものではなく、上述したＯＨＰシート、布なども含み、インク滴が付着されるものの意味であり、被記録媒体、記録媒体、記録紙、記録用紙などと称されるものを含むものの総称として用いる。
【０００４】
このような液体吐出方式の画像形成装置において、記録ヘッドに対してインクを供給するインク供給系として、交換可能なメインタンクからインク供給ポンプによってサブタンクにインクを供給し、サブタンクから記録ヘッドに対してインクを供給するものがある。また、記録ヘッドの信頼性を維持回復するためにキャップ部材で記録ヘッドのノズル面をキャッピングして吸引ポンプによってノズルからインクを吸引排出する維持回復機構を備えている。
【０００５】
このようなインク供給ポンプや吸引ポンプとしては、一般にチューブポンプ（チュービングポンプ）が使用されている。チューブポンプは、例えば、弾性チューブが円弧状の内壁面に沿って配置されたポンプケース（ハウジング）と、このポンプケースに対して回転可能に保持された回転部材と、この回転部材に回転可能に支持されるとともに、弾性チューブを押圧する押圧位置と弾性チューブの押圧を解除する位置との間で回転部材に設けられたガイド溝に沿って移動する押圧部材とを備え、回転部材が一方向に回転することで押圧部材による弾性チューブの押圧箇所が移動して上流側内圧を減圧させて弾性チューブの流路内に負圧を発生させ、弾性チューブの流路内の液体を一端側から吸引して他端側に吐出させるものである。
【０００６】
ところが、チューブポンプは弾性チューブをローラで押し潰して抜くことによって液体を吸引又は供給を行うため、適切な弾性（復元力）のあるチューブを使用しなければならないが、このような弾性チューブは、ガス遮断性が十分ではなく、内部の液体が蒸発して乾燥し、増粘するという問題がある。
【０００７】
そこで、特許文献１に記載されているように、チューブポンプのチューブとチューブの押圧手段を収容する容器を、接着材やゴムパッキン或いは溶着することによって気密状態にし、チューブからの液体の蒸発の防止を図ることが知られている。
【０００８】
【特許文献１】特開２００６−３０５７９９号公報
【発明の開示】
【発明が解決しようとする課題】
【０００９】
しかしながら、特許文献１に記載のような機構のチューブポンプあっては、ポンプを密閉するため組立作業や部品点数が増加するという課題がある。また、例えば液体吐出方式の画像形成装置にあっては、複数種類の色の異なるインクの供給を行う必要があり、この場合、各色のインクについてチューブポンプを配設することになり、チューブポンプないしチューブポンプを含むインク供給ユニットの設置スペースが増加することになるという課題がある。
【００１０】
本発明は上記の課題に鑑みてなされたものであり、チューブポンプの組立性及び部品点数の増加を低減しつつチューブからの水分の蒸発を抑制し、かつ、複数のチューブポンプの設置スペースの低減を図ることを目的とする。
【課題を解決するための手段】
【００１１】
上記の課題を解決するため、本発明に係るチューブポンプは、
液体が通るチューブと、前記チューブを回転しながら押圧する押圧手段と、前記チューブ及び押圧手段を一方が開放される凹部空間内に収容したポンプケースとを備える少なくとも２つのポンプユニットが一体化され、
前記２つのポンプユニットのそれぞれのポンプケースは前記凹部空間が対向されて固定され、前記チューブ及び押圧手段が収容された前記凹部空間内が略密閉空間となっている
構成とした。
【００１２】
ここで、前記２つのポンプケースの間には前記チューブよりもガス遮断性の高い部材からなるシール部材が介装されている構成とできる。
【００１３】
また、前記２つのポンプケースの少なくとも一方には前記シール部材を押圧する突起部が設けられている構成とできる。
【００１４】
また、前記ポンプケース内には前記押圧手段を駆動する駆動手段が前記凹部空間とは別の凹部空間内に収容されている構成とできる。この場合、前記駆動手段を収容した凹部空間と前記前記押圧手段を収容した凹部空間との間には前記チューブよりもガス遮断性の高い部材からなるシール部材が介装されている構成とできる。
【００１５】
本発明に係る画像形成装置は、本発明に係るチューブポンプを備えている構成とした。
【発明の効果】
【００１６】
本発明に係るチューブポンプによれば、少なくとも２つのポンプユニットが一体化され、２つのポンプユニットのそれぞれのポンプケースは凹部空間が対向されて固定され、チューブ及び押圧手段が収容された凹部空間内が略密閉空間となっている構成としたので、チューブポンプの組立性及び部品点数の増加を低減しつつチューブからの水分の蒸発を抑制することができるとともに、複数のチューブポンプが一体化されて設置スペースが低減する。
【００１７】
本発明に係る画像形成装置によれば、本発明に係るチューブポンプを備えているので、インク供給系に使用することで安定したインク供給を行うことができ、また吸引ポンプとして使用することで安定した吸引を行うことができる。
【発明を実施するための最良の形態】
【００１８】
以下、本発明の実施の形態について添付図面を参照して説明する。まず、本発明に係る画像形成装置の一例について図１及び図２を参照して説明する。なお、図１は同画像形成装置の全体構成を説明する側面説明図、図２は同装置の要部平面説明図である。
この画像形成装置はシリアル型インクジェット記録装置であり、装置本体１の左右の側板２１Ａ、２１Ｂに横架したガイド部材である主従のガイドロッド３１、３２でキャリッジ３３を主走査方向に摺動自在に保持し、図示しない主走査モータによってタイミングベルトを介して図２で矢示方向（キャリッジ主走査方向）に移動走査する。
【００１９】
このキャリッジ３３には、イエロー（Ｙ）、シアン（Ｃ）、マゼンタ（Ｍ）、ブラック（Ｋ）の各色のインク滴を吐出するための液体吐出ヘッドからなる記録ヘッド３４ａ、３４ｂ（区別しないときは「記録ヘッド３４」という。）を複数のノズルからなるノズル列を主走査方向と直交する副走査方向に配列し、インク滴吐出方向を下方に向けて装着している。
【００２０】
記録ヘッド３４は、それぞれ２つのノズル列を有し、記録ヘッド３４ａの一方のノズル列はブラック（Ｋ）の液滴を、他方のノズル列はシアン（Ｃ）の液滴を、記録ヘッド３４ｂの一方のノズル列はマゼンタ（Ｍ）の液滴を、他方のノズル列はイエロー（Ｙ）の液滴を、それぞれ吐出する。
【００２１】
また、キャリッジ３３には、記録ヘッド３４のノズル列に対応して各色のインクを供給するためのサブタンク３５ａ、３５ｂ（区別しないときは「サブタンク３５」という。）を搭載している。このサブタンク３５には、カートリッジ装填部４に着脱自在に装着される各色のメインタンクであるインクカートリッジ１０ｙ、１０ｍ、１０ｃ、１０ｋから、本発明に係る流体供給装置を備える供給ポンプユニット２４によって各色の供給チューブ３６を介して、各色のインクが補充供給される。
【００２２】
一方、給紙トレイ２の用紙積載部（圧板）４１上に積載した用紙４２を給紙するための給紙部として、用紙積載部４１から用紙４２を１枚ずつ分離給送する半月コロ（給紙コロ）４３及び給紙コロ４３に対向し、摩擦係数の大きな材質からなる分離パッド４４を備え、この分離パッド４４は給紙コロ４３側に付勢されている。
【００２３】
そして、この給紙部から給紙された用紙４２を記録ヘッド３４の下方側に送り込むために、用紙４２を案内するガイド部材４５と、カウンタローラ４６と、搬送ガイド部材４７と、先端加圧コロ４９を有する押さえ部材４８とを備えるとともに、給送された用紙４２を静電吸着して記録ヘッド３４に対向する位置で搬送するための搬送手段である搬送ベルト５１を備えている。
【００２４】
この搬送ベルト５１は、無端状ベルトであり、搬送ローラ５２とテンションローラ５３との間に掛け渡されて、ベルト搬送方向（副走査方向）に周回するように構成している。また、この搬送ベルト５１の表面を帯電させるための帯電手段である帯電ローラ５６を備えている。この帯電ローラ５６は、搬送ベルト５１の表層に接触し、搬送ベルト５１の回動に従動して回転するように配置されている。この搬送ベルト５１は、図示しない副走査モータによってタイミングベルトを介して搬送ローラ５２が回転駆動されることによって図２のベルト搬送方向に周回移動する。
【００２５】
さらに、記録ヘッド３４で記録された用紙４２を排紙するための排紙部として、搬送ベルト５１から用紙４２を分離するための分離爪６１と、排紙ローラ６２及び排紙コロである拍車６３とを備え、排紙ローラ６２の下方に排紙トレイ３を備えている。
【００２６】
また、装置本体１の背面部には両面ユニット７１が着脱自在に装着されている。この両面ユニット７１は搬送ベルト５１の逆方向回転で戻される用紙４２を取り込んで反転させて再度カウンタローラ４６と搬送ベルト５１との間に給紙する。また、この両面ユニット７１の上面は手差しトレイ７２としている。
【００２７】
さらに、図２に示すように、キャリッジ３３の走査方向一方側の非印字領域には、記録ヘッド３４のノズルの状態を維持し、回復するための維持回復機構８１を配置している。この維持回復機構８１には、記録ヘッド３４の各ノズル面をキャピングするための各キャップ部材（以下「キャップ」という。）８２ａ、８２ｂ（区別しないときは「キャップ８２」という。）と、ノズル面をワイピングするためのワイパ部材（ワイパブレード）８３と、増粘した記録液を排出するために記録に寄与しない液滴を吐出させる空吐出を行うときの液滴を受ける空吐出受け８４と、キャリッジ３３をロックするキャリッジロック８７などとを備えている。また、このヘッドの維持回復機構８１の下方側には維持回復動作によって生じる廃液を収容するための交換されない廃液タンク１００を、維持回復機構８１の側方側には装置本体の前面側から交換可能な廃液タンク１０１を、それぞれ備えている。
【００２８】
また、図２に示すように、キャリッジ３３の走査方向他方側の非印字領域には、記録中などに増粘した記録液を排出するために記録に寄与しない液滴を吐出させる空吐出を行うときの液滴を受ける空吐出受け８８を配置し、この空吐出受け８８には記録ヘッド３４のノズル列方向に沿った開口部８９などを備えている。
【００２９】
このように構成したこの画像形成装置においては、給紙トレイ２から用紙４２が１枚ずつ分離給紙され、略鉛直上方に給紙された用紙４２はガイド４５で案内され、搬送ベルト５１とカウンタローラ４６との間に挟まれて搬送され、更に先端を搬送ガイド３７で案内されて先端加圧コロ４９で搬送ベルト５１に押し付けられ、略９０°搬送方向を転換される。
【００３０】
このとき、帯電ローラ５６に対してプラス出力とマイナス出力とが交互に繰り返すように、つまり交番する電圧が印加され、搬送ベルト５１が交番する帯電電圧パターン、すなわち、周回方向である副走査方向に、プラスとマイナスが所定の幅で帯状に交互に帯電されたものとなる。このプラス、マイナス交互に帯電した搬送ベルト５１上に用紙４２が給送されると、用紙４２が搬送ベルト５１に吸着され、搬送ベルト５１の周回移動によって用紙４２が副走査方向に搬送される。
【００３１】
そこで、キャリッジ３３を移動させながら画像信号に応じて記録ヘッド３４を駆動することにより、停止している用紙４２にインク滴を吐出して１行分を記録し、用紙４２を所定量搬送後、次の行の記録を行う。記録終了信号又は用紙４２の後端が記録領域に到達した信号を受けることにより、記録動作を終了して、用紙４２を排紙トレイ３に排紙する。
【００３２】
そして、記録ヘッド３４のノズルの維持回復を行うときには、キャリッジ３３をホーム位置である維持回復機構８１に対向する位置に移動して、キャップ部材８２によるキャッピングを行ってノズルからの吸引を行うノズル吸引、画像形成に寄与しない液滴を吐出する空吐出などの維持回復動作を行うことにより、安定した液滴吐出による画像形成を行うことができる。
【００３３】
次に、この画像形成装置におけるインク供給系の一例について図３の模式的説明図を参照して説明する。
記録ヘッド３４には、フィルタ３００を介してサブタンク３５が一体的に設けられてキャリッジ３３に搭載されている。サブタンク３５には、内部に収容されたインクの有無を検知するための一対（２本）の金属体からなる検知電極３０２ａ、３０２ｂが取り付けられ、また、内部を大気開放する大気開放手段３０４が設けられている。
【００３４】
一対の検知電極３０２ａ、３０２ｂは、一方がプラス、他方がマイナスにそれぞれ接続されており、検知電極３０２ａと３０２ｂがインク３０１に接している時と接していない時では、両者間の電気抵抗が変化するため、インクの有無を検知することができる。また、大気開放手段３０４は、弾性体を有するパッキン部分が２色成型により一体形成された押圧ピン４０５が収容され、サブタンク３５内に設置されたバネ３０６により外方へ付勢されることで大気とサブタンク３５との間を遮断し、押圧ピン４０５が外方からバネ３０６の付勢力に抗して押圧されることで大気とサブタンク３５内とを開放する。また、サブタンク３５内には、圧力を検出するための図示しない圧力検出手段が設けられている。
【００３５】
メインタンク１０には、内部に外圧によって変形可能なインク袋３１０が収納されている。このインク袋３１０は、メインタンク１０を装置本体に装着した時に、後述する本発明に係るチューブポンプ２００に設けられる中空の供給針（中空針）２２３に接続される。
【００３６】
そして、供給ポンプユニット２４を構成するチューブポンプ２００とサブタンク３５とが供給チューブ３６によって接続され、チューブポンプ２００を駆動することによってメインタンク１０からサブタンク３５にインク３０１が補充供給される。サブタンク３５へのインク初期充填が完了したときのサブタンク３５内のインク液面は記録ヘッド３４のノズル面３４ｎから高さｈ０の位置にある。
【００３７】
次に、この画像形成装置における供給ポンプユニット２４内に構成され、インクを供給あるいは吸引する本発明に係るチューブポンプの実施形態について図４ないし図８を参照して説明する。なお、図４は同チューブポンプの斜視説明図、図５は同じく図４と反対側から見た斜視説明図、図６は同じく分解斜視説明図、図７は同じくポンプユニットの分解斜視説明図、図８は同ポンプユニットの側面説明図である。
【００３８】
このチューブポンプ２００は、２つのポンプユニット２０１Ａ、２０１Ｂ（区別しないときは「ポンプユニット２０１」という。）を、各ポンプユニット２０１Ａと２０１Ｂの各ポンプケース２０２の間にシール部材２３０を挟みこんで固定することで一体化したものである。
【００３９】
ポンプユニット２０１は、ポンプケース２０２内に内壁面２０３ａが円弧状の凹部空間２０３が形成され、この凹部空間２０３内に、インクが通る弾性チューブ２０４と、チューブ２０４を回転しながら押圧する押圧手段２０５とが収容され（図８参照）、また凹部空間２０３とは別の凹部空間２０６内に押圧手段２０５を駆動する駆動手段であるＤＣモータ２０７が収容されている。
【００４０】
押圧手段２０５は、図７ないし図９にも示すように、ポンプケース２０３に取り付けられた軸２１０を中心に、リング２１１、押圧ローラ（カラー）２１２、偏心カム付きギヤ２１３、ギヤカバー２１４が取り付けられて構成されている。そして、偏心カム付きギヤ２１３にはモータ２０７に取付けられたウォームギヤ２１５が噛み合っている。
【００４１】
このポンプユニット２０１は、図９をも参照して、モータ２０７を正転又は逆転駆動することにより、ウォームギヤ２１５を介して偏心カム付きギヤ２１３が偏心しながら回転することで、押圧ローラ２１２がチューブ２０４を凹部空間２０３の内壁面２０３ａに押圧しながら回転し、図９の矢印方向のいずれかに回転しながらチューブ２０４を押し抜くことによって、インクの供給又は吸引を行う。
【００４２】
ここで、チューブ２０４の一端部はポンプケース２０２に取り付けられたジョイントパイプ２２１に接続され、他端部は同じくジョイントパイプ２２２に接続されている。ジョイントパイプ２２１には中空針２２３が設けられており、また、ジョイントパイプ２２２には供給チューブ３６が接続されている。
【００４３】
なお、ポンプユニット２０１の押圧手段２０５は、例えば図１０に示すように、軸７１０によって回転する回転部材７１１に設けられた複数（この例は３個）のコロ７１２を備え、開店部材７１１を回転することによってコロ７１２でチューブ２０４を扱くことで供給（又は吸引)するものなどでもよい。
【００４４】
図６に戻って、このチューブポンプ２００は、上述した２つのポンプユニット２０１Ａ、２０１Ｂの各ポンプケース２０２，２０２の開口している天面同士の間に、チューブ２０４よりもガス遮断性の高いゴムシート、パッキンなどからなるシール部材２３０を挟み込み、爪部２３１と図示しない係止片及びネジ２３３などを用いて、チューブ２０４と押圧手段２０５が収容されている各凹部空間２０３、２０３を対向させて固定し、各ポンプケース２０２の凹部空間２０３、２０３を略密閉空間としている。
【００４５】
ここで、図１１に示すように、一方のポンプケース２０２の全周にわたって断面三角形状の突起部（リブ）２４１を設けてシール部材２３０に食い込ませることにより、気密性（密閉性）を高めている。
【００４６】
なお、２つのポンプユニット２０１Ａ、２０１Ｂの各ポンプケース２０２，２０２を接着、溶着などで接合固定することもできる。
【００４７】
このように、２つのポンプユニット２０１Ａ、２０１Ｂを一体化してチューブ２０４及び押圧手段２０５を収容する凹部空間２０３を一箇所で塞ぐため、組立性、部品コストに優れ、さらには、水分が蒸発していく箇所も各ポンプユニット２０１を別々に密閉する場合よりも少なくなり、更なるガス遮断性の向上を図れる。
【００４８】
つまり、チューブポンプ２００は、チューブ２０４が潰されて元に戻る時の復元力を利用してインクを供給又は吸引するため、チューブ２０４はポンプ駆動力の回転トルクを上げ過ぎない程度の適切な弾性力を持った弾性体で形成する。例えば、チューブの硬度は５０〜６５程度のものが好ましく使われているが、これらのチューブはガス遮断性が低く、水分が蒸発して内部のインクが増粘する。一方、インクジェット記録装置では、複数の色のインクを使用することから各色ごとにチューブポンプを備える必要がある。
【００４９】
この場合、２つのチューブポンプを別々にしてそれぞれ密閉構造とするのでは、組立性が悪く、部品点数も多くなる。これに対し、本発明に係るチューブポンプによれば、少なくとも２つのポンプユニットを一体化して、かつ、ポンプケースを略密閉構造で固定するので、組立性の向上、部品点数の削減を図れ、更に複数のチューブポンプを配置する場合の設置スペースの省スペース化を図れる。
【００５０】
また、このポンプユニット２００においては、図８及び図１２に示すように、モータ２０７を収容する凹部空間２０６とチューブ２０４などを収容する凹部空間２０３との間の隔壁部２０８とモータ２０７との間であって、モータ２０７のモータ軸２０７ａの周囲に、チューブ２０４よりもガス遮断性の高いゴムシート、パッキンなどからなるシール部材２５０を設けている。なお、モータ２０７のモータ軸回りを接着剤で密封してもよい。また、図１３に示すように、モータ２０７とポンプケース２０２との間にはモータ２０７をシール部材２５０側に押圧する弾性部材２５３を設けている。
【００５１】
これにより、チューブ２０４などを収容する凹部空間２０３は、シール部材２５１とモータ２０７によってモータ２０７を収容する凹部空間２０６との間が遮断され、凹部空間２０６が密閉されていなくても、凹部空間２０３は密閉される。そして、凹部空間２０３と凹部空間２０６が遮断されることにより、凹部空間２０６には図４などに示すようにスリット２５２を形成してモータ２０７の発熱を外部へ逃がすことができる。この場合、凹部空間２０３と凹部空間２０６は遮断されているため、モータ２５０で発生する熱が凹部空間２０３側に入ることも防止される。
【００５２】
次に、チューブ２０４とジョイント部２２１、２２２の接続部分について図１４ないし図１７をも参照して説明する。
まず、図１４に示すように、チューブ２０４の表面にライン２８０を設け、ジョイント２２１のジョイントパイプマーク２８１を、及びジョイント２２２にジョイントマーク２８２を設け、取付け時にライン２８０とマーク２８１、２８２を合わせることによって、組付時のチューブねじれを防止し、送液時のねじれによる負荷、及び送液低下（機能低下）を防止することができる。
【００５３】
また、図１５及び図１６に示すように、ジョイント２２２のチューブ取付け部２２２ａの根元はアンダーカットしている。そして、予めチューブ２０４に止め輪２８４を差込み、チューブ２０４をジョイント２２２のチューブ取付け部２２２ａに差し込んだ後、図１７に示すように止め輪２８４を矢印方向に回しながらジョイント２２２のアンダーカット部まで持っていく。止め輪２８４はスプリング形状になっているため、矢印方向に回すことで開き方向となり、容易にアンダーカット手前の外径の大きい部分を乗り越えることができる。これにより止め輪２８４を１ないし２回転することにより取付が可能となり作業性の向上を図ることができる。なお、ジョイント２２１に対するチューブ２０４の取付けも同様にして行うことができる。
【００５４】
止め輪２８４の機能としては、駆動モータの異常動作時にインクを絶えず送液されてしまった場合、内圧増加によるジョイントとチューブの外れを防止して、機内（装置内）へのインク漏れを防止することができる。
【００５５】
次に、チューブポンプ２００内のインク増粘防止構造について図１８を参照して説明する。
同図に破線２８５で示す部分に空間容積がなくなるように、例えばグリス等を充填することで、特に長期保管された場合、長期使用されなかった場合にチューブ２０４内のインク水分がチューブ２０４の透気性によりポンプケース２０２内に蒸発した場合の飽和時間を短縮させることができ、インクの増粘をより確実に低減することができる。
【００５６】
なお、上記実施形態においては、本発明に係るチューブポンプをインク供給ポンプとして使用した例で説明しているが、維持回復機構８１のキャップ８２ａから吸引を行う吸引ポンプとして使用することもできる。また、画像形成装置に限らず一般的なチューブポンプの用途に使用することができる。
【００５７】
また、本発明に係る画像形成装置は、インクジェットプリンタ以外にも、ファクシミリ装置、複写装置、プリンタ／ファックス／コピア複合機などにも適用することができる。さらに、インク以外の液体（記録液）、例えばレジスト、医療分野におけるＤＮＡ試料などを吐出させる画像形成装置などにも適用することができる。
【図面の簡単な説明】
【００５８】
【図１】本発明に係る画像形成装置の機構部の概略を示す構成図である。
【図２】同機構部の要部平面説明図である。
【図３】同画像形成装置におけるインク供給系の一例を示す模式的説明図である。
【図４】本発明に係るチューブポンプの一例を示す斜視説明図である。
【図５】同じく図４と反対側から見た斜視説明図である。
【図６】同じく分解斜視説明図である。
【図７】同じくポンプユニットの分解斜視説明図である。
【図８】同ポンプユニットの側面説明図である。
【図９】同ポンプユニットの押圧手段の説明に供する要部模式的説明図である。
【図１０】同ポンプユニットの押圧手段の他の例を示す要部模式的説明図である。
【図１１】ポンプケースとシール部材の挟持構造の説明に供する要部断面説明図である。
【図１２】同ポンプユニットのモータ収容部分の説明に供する要部説明図である。
【図１３】同じくモータ収容部分の説明に供する要部説明図である。
【図１４】同ポンプユニットのジョイントとチューブの接続の説明に供する側面説明図である。
【図１５】同ジョイントとチューブの取付け構造の説明に供する斜視説明図である。
【図１６】同じくチューブ取付け前の説明に供する斜視説明図である。
【図１７】同じく止め輪の斜視説明図である。
【図１８】同ポンプユニットのインク増粘防止構造の説明に供する側面説明図である。
【符号の説明】
【００５９】
１０…インクカートリッジ（メインタンク）
３３…キャリッジ
３４、３４ａ、３４ｂ…記録ヘッド（液体吐出ヘッド）
３５…サブタンク
３６…供給チューブ
２００…チューブポンプ
２０１、２０１Ａ、２０１Ｂ…ポンプユニット
２０２…ポンプケース
２０３…凹部空間
２０４…チューブ
２０５…押圧手段
２０６…凹部空間
２０７…モータ
２３０…シール部材
【図１】
2010143158.tif 000003
【図２】
2010143158.tif 000004
【図３】
2010143158.tif 000005
【図４】
2010143158.tif 000006
【図５】
2010143158.tif 000007
【図６】
2010143158.tif 000008
【図７】
2010143158.tif 000009
【図８】
2010143158.tif 000010
【図９】
2010143158.tif 000011
【図１０】
2010143158.tif 000012
【図１１】
2010143158.tif 000013
【図１２】
2010143158.tif 000014
【図１３】
2010143158.tif 000015
【図１４】
2010143158.tif 000016
【図１５】
2010143158.tif 000017
【図１６】
2010143158.tif 000018
【図１７】
2010143158.tif 000019
【図１８】
2010143158.tif 000020